(57)【要約】【課題】  ペットボトルからイルミネーションのように発光する取り扱いが容易なペットボトル発光体を提供すること。【解決手段】  ペットボトル２０の底部２１に合致し且つ上部に凹陥状ケース４を固着した円形の取付板１と、凹陥状ケース４内に取り付けられる発光ユニット１０からなるペットボトル発光体。取付板１の表面に塗布した粘着剤に剥離紙が貼付され、発光ユニット１０が、基板１１とＬＥＤ１２、及び電池と通電部を備え、凹陥状ケース４内に取り付けたスイッチ３を取付板１下方から押すとＬＥＤが点滅する。【選択図】  図１
0003118097.tif 000002
【実用新案登録請求の範囲】
【請求項１】
ペットボトルの底部に合致し且つ中央上部に小形の凹陥状ケースを固着した円形の取付板と、凹陥状ケース内に取り付けられる発光ユニットからなるペットボトル発光体であって、前記取付板の表面に塗布した粘着剤に剥離紙が貼付され、発光ユニットが、基板とＬＥＤ、及びＬＥＤを発光させる電池と通電部を備え、凹陥状ケース内に取り付けたスイッチを取付板下方から押すとＬＥＤが点滅することを特徴とするペットボトル発光体。
【考案の詳細な説明】
【技術分野】
【０００１】本考案は、ペットボトルから光輝色を発するペットボトル発光体に関する。
【背景技術】
【０００２】ペットボトルに発光機能を持たせて装飾品としても楽しめるようにした技術が存在する（例えば特許文献１参照）。この技術はペットボトルのキャップ部分にＬＥＤ（発光ダイオード）などの発光部を取り付けたもので、発光部を点灯状態にするとペットボトルから光を放射してアクセサリーとしての機能が発揮されることを主旨としたものである。
【特許文献１】特許公開２００２−９９２３１号公報
【考案の開示】
【考案が解決しようとする課題】
【０００３】特許文献１に開示された技術は、従来はそのまま捨てられていたペットボトルのキャップを有効利用し、ごみ排出量の低減や環境面に役立つ等の効果が得られることを所期しているが、この技術は、飲料を充填したペットボトル本体にあらかじめ取り付けられているキャップが直接発光するものではなく、発光部を設けた取り付け材をあらかじめ用意し、その上からキャップを被せるものであるから、飲料を使い切った状態のペットボトルに使用することを前提としている。無論飲料を入れたままの状態でもキャップ取り付け材を取り外せば問題はないが、手数が煩雑となって効率的ではなく、また本体の飲み口に別体を取り付けることは衛生面で問題があるなどの不具合がある。しかも本体内が明るくなるものではなく、懐中電灯のようにキャップ部分から前方に向けて光が放射されるという単純な形態に過ぎない。【０００４】本考案はこのような従来技術に鑑みて、キャップ部分に細工を施すことなく実施することを特徴とし、ペットボトルの本体内部に光を点灯・点滅することによって幻想的で興趣に富んだイルミネーション機能を発揮させ、それによってコンサート、お祭り等の各種イベントで個々のＰＲができ、また会場で飲料品の販売を促進することができるなど多目的利用に供せられ、衛生的で安全に取り扱いできるペットボトル発光体を提供することを意図している。
【課題を解決するための手段】
【０００５】すなわち本考案は、ペットボトルの底部に合致し且つ中央上部に小形の凹陥状ケースを固着した円形の取付板と、凹陥状ケース内に取り付けられる発光ユニットからなるぺットボトル発光体であって、前記取付板の表面に塗布した粘着剤に剥離紙が貼付され、発光ユニットが、基板とＬＥＤ、及びＬＥＤを発光させる電池と通電部を備え、凹陥状ケース内に取り付けたスイッチを取付板下方から押すとＬＥＤが点滅することを技術手段とする。
【考案の効果】
【０００６】本考案はペットボトルの底部に取り付けるものゆえ、キャップに発光部を取り付けた従来技術と異なって飲用時の支障にならず衛生的であるため当然ながら飲用中に楽しむことも、飲用後のカラ容器で楽しむこともできる。【０００７】凹陥状ケース内に取り付けられた発光ユニットのＬＥＤが、ペットボトルの底部から上方に向かって光を照射するので、ペットボトル全体が発光するかの観を呈し、飲料の有無にかかわらず美麗な光輝色を発現しイルミネーション効果を遺憾なく発揮する。したがって例えばペットボトルをそのまま卓上等に置いた状態にするとインテリアとしての利用ができることは勿論、各種イベント会場で飲料品の販売促進にも役立つなどの実益がある。なかんずく、ペットボトルを把持して揺動したり振り回すことでコンサート会場や球場などの応援グッズとしても好適し、また暗がりや夜間に携帯することで走行する車に自己の位置を知らしめることができるなど安全面で役立つ効果もある。【０００８】ペットボトルへの取り付けにあたっては、取付板に貼付されている剥離紙をはがし、露出した粘着剤の部分をペットボトルの底部に貼り付けるたけでよく、またＬＥＤの点滅は取付板下方すなわち容器底面よりスイッチを押し込む簡単な操作のため誰にも容易に取り扱いができ、しかも一旦取り付けた後もペットボトルの底部から取付板を剥がすことが可能なため電池の寿命の範囲内で他の容器での再使用ができる。
【考案を実施するための最良の形態】
【０００９】図面につき本考案を説明すると、図１は本考案の取り付け状態を示すもので、１はプラスチック製で円形の取付板であり、ペットボトル２０の底部２１の円周面に合致する大きさを有し、上部に発光ユニット１０を配置した合成樹脂からなる小形の凹陥状ケース４を固着している。ペットボトル２０が５００ｃｃ用であれば取付板１の直径は５４ｍｍで、凹陥状ケース４の外径は２１ｍｍ、内径は１７ｍｍほどとなる。ペットボトル２０の底部２１中央は陥没状となっているため該陥没部分に凹陥状ケース４と発光ユニット１０は支障なく収まる。【００１０】図２（ａ）・（ｂ）は本考案の全体を示し、図３（ｃ）・（ｄ）は取付板１と発光ユニット１０を夫々示す。すなわち凹陥状ケース４内に取り付けられる発光ユニット１０は、円形の基板１１にＬＥＤ１２が少しく突出状に取り付けられている。基板１１の裏側にはＬＥＤ１２を発光するためのボタン型電池１３、通電部１４が設けられている。そして基板１１は前記凹陥状ケース４の上面に密接し、電池１３、通電部１４はケース４内に収まるとともに、通電部１４に凹陥状ケース４内に設けたスイッチ３が臨んでいる。【００１１】取付板１は透孔２を有し、該透孔に、前記発光ユニット１０の通電部１４と接離するスイッチ３の下部が臨んでいる。このスイッチ３は凸形で、中央下面を押し込むと通電部１４に接するもので、最初に押し込んだ時に回路が閉じてＬＥＤ１２が発光若しくは点滅状態となり、次に押し込んだ時には回路が開いて消灯する。なおスイッチ３を固定するために透孔２に合致させて凹陥状ケース４に保持部４ａを形成する。【００１２】取付板１の表面にはあらかじめ粘着剤が塗布され、その粘着剤に剥離紙１ａが貼付されている。この剥離紙１ａを剥がしやすいように図示のような切込み１ｂを２ヵ所設けておくことが好ましい。剥離紙１ａを剥がすと粘着剤が露出するのでペットボトル２０の底部２１に取付板１を固定できる。【００１３】取付板１をペットボトル２０の底部２１に固定すると、発光ユニット１０のＬＥＤ１２が底部２１の中央に近接する。そして凹陥状ケース４に固定されているスイッチ３の中央を取付板１の透孔２からペン先等を用いて押すと、スイッチ３先端が通電部１４に触れ、電池１３を電源とする電流が通ってＬＥＤ１２が発光し、光がペットボトル２０の下方から上方に向かって照射する。したがって外部からはペットボトル２０に入った光が目視されることとなる。この場合、飲料の有無によって光の色合いは異なるととともに、またペットボトル２０の着色の度合いによって発光色も異なるので、それらの多様な光輝色を楽しむことができ、特に点滅状にすると幻想的でイルミネーションとしての機能を発揮するため広範な利用に供することができる。【００１４】上記した発光ユニット１０におけるＬＥＤを点灯させるための構成は、公知の回路手段を用いてスイッチオンしたときに点灯、点滅いずれの発光状態にもすることができ、またペットボトル２０の容量に応じて取付板１の大きさを設定することによりペットボトルの大小にかかわらず本考案が使用できること勿論である。
【図面の簡単な説明】
【００１５】
【図１】本考案をペットボトルに取り付けた説明図である。
【図２】本考案の全体を示すもので、（ａ）は外観図、（ｂ）は断面図である。
【図３】（ｃ）は取付板の平面図、（ｄ）は光ユニットの裏面図である。
【符号の説明】
【００１６】１    取付板
１ａ  剥離紙
１ｂ  切込み
２    透孔
３    スイッチ
４    凹陥状ケース
４ａ  保持部
１０  発光ユニット
１１  基板
１２  ＬＥＤ
１３  電池
１４  通電部
２０  ペットボトル
２１  底部
【図１】
0003118097.tif 000003
【図２】
0003118097.tif 000004
【図３】
0003118097.tif 000005